Podtech/llm-jp-corpus-v4-ja_patent huggingface dataset:
(57)【要約】      （修正有）【課題】現場への溶接機等の持ち込みをする必要がなく、溶接品と同等以上の強度を保持し、溶接による熱影響の劣化や歪みが生じる事も無く、寸法誤差が軽減され現場取付け効率が上昇される。またコスト面においても、はめ込み金具やワンサイドボルトなどの高額な仕入れをする事がなく、通常使用する六角ハイテンションボルトでの施工を可能にし、低コストも実現出来るナット接着型無溶接柱巻き補強材を提供する。【解決手段】対金属に対しての接着力が格段に優れているアクリル樹脂系接着剤を使用し、六角ハイテンションボルトのナットと座金を鋼板補強材本体に接着し、完全に硬化を確認した後現場に出荷する。【選択図】図３
0003136460.tif 000002
【実用新案登録請求の範囲】
【請求項１】
耐震補強工事の柱巻き補強の主流である鋼板巻き補強材を、溶接と同等以上の強度を保持出来るアクリル樹脂系接着剤を使用した鋼板巻き補強材である。
鋼板巻き補強材工場製作の際に、製品を仮組みし六角ハイテンションボルトのナットと座金をアクリル樹脂系接着剤で鋼板補強材本体に接着させ、完全に硬化が確認された後、現場に出荷する。
【考案の詳細な説明】
【技術分野】
【０００１】本考案は、ナット及び座金部にアクリル樹脂系接着剤を使用し、工場製作時及び現場取付け時双方において完全無溶接で施工出来る耐震柱巻き補強材の技術分野に属する。
【背景技術】
【０００２】  人命に関わる耐震補強工事は我が国で現在最も重要視されている工事の一つである。
不慮の地震対策として商業都市を含め多くの地域で耐震補強工事が進められ、補強構法と共に、耐震補強材の開発が各方面で精力的に進められている。
【考案の開示】
【考案が解決しようとする課題】
【０００３】  従来の柱巻き補強は、現場溶接型とはめ込み方式型（接合部位全溶接）とワンサイドボルト型が主流となっている。しかし溶接による熱影響の問題で補強材本体の劣化、製品の歪み等が原因で取付け時寸法誤差などの問題が生じ、補強工事作業全体が長期化している。またワンサイドボルト型ではボルト単体の購入単価が高額なため、厳しい予算の取付け業社の工事代金を圧迫している。
【課題を解決するための手段】
【０００４】  本考案は、対金属に対しての接着力が格段に優れているアクリル樹脂系接着剤を使用し六角ハイテンションボルトのナットと座金を鋼板補強材本体に接着し、完全に硬化を確認した後現場に出荷する事により、現場への溶接機等の持ち込みをする必要がなく、溶接品と同等以上の強度を保持し溶接による熱影響の劣化や歪みが生じる事も無く寸法誤差が軽減され、現場取付け効率が上昇される。またコスト面においても、はめ込み金具やワンサイドボルトなどの高額な仕入れをする事がなく、通常使用する六角ハイテンションボルトでの施工を可能にし、低コストも実現出来る。
【実施例】
【０００５】  以下、添付図面に従って実施例を説明する。まず下処理として２の六角ハイテンションボルトをアルコールに一晩浸し、付着している油分及び汚れをきれいに拭き取ります。１は柱鋼板巻き本体で補強する柱の寸法に合わせプレスにて折り曲げ加工する。１をＢＯＸ型に仮組み立てし、片面ずつ孔明け加工する。孔明け完了後４の平座金を取付し、２の六角ハイテンションボルトを挿入後片面ずつ一次締めを行う。
（一次締めは組み立てた内部からナットを締め付ける）その後２の六角ハイテンションボルトのナットと４の平座金に５のアクリル樹脂性接着剤を塗布し、硬化（２４時間）させる。
しっかりと硬化している事を確認し２の六角ＨＴＢのボルトを取り外し、ナットの内側に５のアクリル樹脂性接着剤が回りこんでいない事を確認し、出荷する。【０００６】  現場での取り付けは補強する柱に１をセットし、孔位置を合わせ２の六角ハイテンションボルトのボルトを挿入し、締め込みを行う。（外側のボルトを締め込む）
【図面の簡単な説明】
【図１】  柱巻き補強材本体の全体斜視図
【図２】  ボルト接合部の拡大平面図
【図３】  図２のＡ−Ｂ部の拡大断面図
【符号の説明】
１  柱鋼板巻き折り曲げ本体
２  六角ハイテンションボルト
３  丸座金
４  平座金
５  アクリル樹脂系接着剤
【図１】
0003136460.tif 000003
【図２】
0003136460.tif 000004
【図３】
0003136460.tif 000005
【手続補正書】
【提出日】平成19年6月27日(2007.6.27)
【手続補正１】
【補正対象書類名】実用新案登録請求の範囲
【補正対象項目名】全文
【補正方法】変更
【補正の内容】
【実用新案登録請求の範囲】
【請求項１】
耐震補強工事における柱巻き補強において、現場への出荷前に六角ハイテンションボルトのナットと座金を接着剤にて本体に接着したナット接着型無溶接柱巻き補強材。
(57)【要約】      （修正有）【課題】ぞうりの縦糸となるロ−プを保持する労を要さず、任意の場所で、楽な姿勢で編む事ができ、中断、移動が簡単で小型軽量なぞうり編み機を実現し、ぞうりを作りたい人々、特に膝、腰、あるいは手の不自由な人にとっても楽な姿勢で容易に操作できるぞうり編み機を提供する。【解決手段】３個の引掛け具を設けた横板１を脇板２の上部に渡した門型の立体的な構造に形成し、ぞうり作りの要であるぞうりの縦糸となるロ−プ５を吊り下げる方式を採用することによって、これまで行われている手元から前方へ編み進める水平移動式な編み方と異なる、下から上に編み進める垂直移動的な編み方を可能なものとする。【選択図】図４
0003136498.tif 000002
【実用新案登録請求の範囲】
【請求項１】
上部にぞうりの縦糸となるロ−プを吊り下げるに必要な３個の引掛け具を設けた横板、この横板を支える脇板及びこの脇板を固定し、全体を支える底板で構成される門型の構造をした垂下式ぞうり編み機。
【考案の詳細な説明】
【技術分野】
【０００１】  本考案は、ぞうりを手作りするための機具に関する。
【背景技術】
【０００２】  近年、はき心地のよさ、作る楽しみ、不用となった衣類の再活用などにより、ぞうりが広く注目を集めている。これまでの手作りぞうりの編み機は長い板状のものからなる構造物で、この長い板状部分を水平に置いて使用するため、水平的設置面積を広く必要とするとともに、編み機の使用方法が、畳もしくは床上で用いる構造となっており、使用場所が制限される。更に、ぞうりを編む過程において縦糸となるロ−プを手によって保持する必要があり、手の自由度が低い。
【考案の開示】
【考案が解決しようとする課題】
【０００３】  本考案は、かかる問題点を解決するものであって、編む場所を選ぶ必要がなく随意の場所で編む事ができ、小型軽量化を図り移動を容易にし、編み手のぞうりの縦糸となるロ−プの保持労務を解消する。
ぞうりを手作りしたい人々、特に膝、腰、あるいは手の不自由な人にとっても楽な姿勢で容易に操作できるぞうり編み機を提供しようとするものである。
【課題を解決するための手段】
【０００４】  本考案に係る垂下式ぞうり編み機は、３個の引掛け具を設けた横板を脇板の上部に渡した門型の構造に形成し、ぞうりの縦糸となるロ−プをこの引掛け具に垂直に吊り下げる方式を特徴とする。
【考案の効果】
【０００５】  本考案は以上の通り構成するものであって、ぞうりの縦糸となるロ−プを吊り下げる方法を採用することによって、これまで行われている手元から前方へ編み進める水平移動式な編み方と異なり、下から上に編み進める垂直移動的な編み方を可能なものとするとともに、ぞうり編み機の小型軽量化、ぞうり製作場所の選択性を高めるとともに作業の簡略化、省力化、作業時間の短縮化を図り、随時、随所で簡単に、短時間にぞうりを作ることが可能となる。
【考案を実施するための最良の形態】
【０００６】  以下、図面に示す実施の形態について説明する。
図１は本考案に係る垂下式ぞうり編み機正面図、図２は本考案に係る垂下式ぞうり編み機平面図、図３は本考案に係る垂下式ぞうり編み機側面図、図４は垂下式ぞうり編み機によるぞうり製作状態を示してある。ぞうりの縦糸となるロ−プを吊り下げる３個の引掛け具は横板に配置する。
【図面の簡単な説明】
【０００７】
【図１】本考案に係る垂下式ぞうり編み機の正面図である。
【図２】同平面図である。
【図３】同側面図である。
【図４】本考案に係る垂下式ぞうり編み機によるぞうり製作状態を示す図である。
【符号の説明】
【０００８】１  引掛け具を設けた横板
２  脇板
３  底板
４  引掛け具
５  ぞうりの縦糸となるロ−プ
６  ぞうりの一部
【図１】
0003136498.tif 000003
【図２】
0003136498.tif 000004
【図３】
0003136498.tif 000005
【図４】
0003136498.tif 000006
(57)【要約】      （修正有）【課題】卓球ボールの輸送時に使用されるダンボール製の包材を卓球ボールの収納及び取出し用ボックスとして活用する。【解決手段】ダンボール製の有底縦長容箱１と、ダンボール製の有底升形容箱５とにより構成され、有底縦長容箱の上部内壁面に対向して、容箱本体に連設する折込壁が重畳して有底縦長容箱の上方部位を形成し、有底升形容箱を構成する四方壁の外側には、容箱本体に連設する外側折曲枠辺８が設けられ、この外側折曲枠辺は梱包用粘着性テープ片によって四方壁に固定され、有底縦長容箱の周面には卓球練習場提供者の社名，住所又は商品名，キャッチフレーズ等が表示されていることを特徴とする卓球ボール１０の収納及び取出し用ボックス。【選択図】図３
0003136500.tif 000002
【実用新案登録請求の範囲】
【請求項１】
ダンボール製の有底縦長容箱と、ダンボール製の有底升形容箱と、により構成され、前記有底縦長容箱の上部内壁面に対向して、容箱本体に連設する折込壁が重畳して有底縦長容箱の上方部位を形成し、前記有底升形容箱を構成する四方壁の外側には、容箱本体に連設する外側折曲枠辺が設けられ、この外側折曲枠辺は梱包用粘着性テープ片によって四方壁に固定され、前記有底縦長容箱の周面には卓球練習場提供者の社名，住所又は商品名，キャッチフレーズ等が表示されていることを特徴とする卓球ボールの収納及び取出し用ボックス。
【考案の詳細な説明】
【技術分野】
【０００１】  本考案は、卓球ボールの収納及び取出し用ボックスに関する。
【背景技術】
【０００２】  卓球ボールの輸送にはダンボール製の内箱と、ダンボール製の外箱を使用している。【０００３】  そして、内箱には所定個数の卓球ボールが収納され、この内箱  は外箱内に密嵌した荷姿形態を保持して輸送され、荷受先においては用済となった内箱と外箱を圧潰等してダンボールの回収業者に引き渡していた。そのため、卓球ボールの輸送時に供した内箱と外箱を廃棄するには勿体無い感があり、前記内箱と外箱の原形を保った内箱と外箱の再利用が望まれる。
【考案の開示】
【考案が解決しようとする課題】
【０００４】  本考案は、斯る現状に着目して創案されたもので、詳しくは本考案は前記の、従来使用していたダンボール製内箱とダンボール製外箱の原形構造に改良を加え、卓球ボールの収納及び取出し用ボックスとして活用できることを特徴とする卓球ボールの収納及び取出し用ボックスに係り、これを、卓球練習場や卓球競技会場の室内床面適所に配置することで卓球ボールの置き場所が特定でき、卓球ボールの収納及び取出し等の取扱い，保管等に最適であり、更には卓球練習場を提供する者の社名表示機能（広告宣伝効果）を果たすことが可能になる卓球ボールの収納及び取出し用ボックスを提供するものである。
【課題を解決するための手段】
【０００５】  本考案は、ダンボール製の有底縦長容箱と、ダンボール製の有底升形容箱との組合わせにより構成され、有底縦長容箱の上部内壁面には容箱本体の四方壁に連設する折込壁が重畳して有底縦長容箱の上方部位を形成し、前記有底升形容箱の四方壁には容箱本体に連設する外側折曲枠辺が設けられ、この外側折曲枠辺は梱包用粘着性テープ片によって四方壁に固定され、有底縦長容箱に有底升形容箱をセットした形態を以って卓球練習の現場使用に供されるものである。
【考案の効果】
【０００６】  本考案は、上記のような形態で実施され、以下のような効果を奏する。【０００７】  卓球ボールの輸送後において用済となり、廃棄される前記、従来の用途に供したダンボール製内箱とダンボール製外箱を卓球ボールの収納及び取出し用ボックスとして有効活用できる。【０００８】  有底縦長容箱に対して、卓球ボールを収納したり、取出したりする有底升形容箱を安定した状態で嵌装できる。【０００９】  卓球練習場，卓球競技会場等の室内床面適所に配置させることで、卓球ボールの置き場所を容易に確認することができる。【００１０】  卓球ボールの一括収納及び卓球ボールの取出し，保管等に便利である。【００１１】  卓球練習場等の社名，所在地表示，又は、商品名，キャッチフレーズ等を表示したから、卓球ボールの収納及び取出し等と相俟って広告宣伝媒体としての機能を発揮する。【００１２】  本考案は上記の諸効果に関連して、下記の効果を奏する。即ち、卓球の練習中においてボールを手で一個一個掴み多数練習をするとき取扱われる卓球ボールの数は、大凡１分間に１００個位とされている。従って、本考案によれば、卓球ボールの収納を可能にすると以外に卓球練習中において頻繁に繰返し行なわれる卓球ボールの取出しに好適なボックスとして有利に使用できるという利点がある。
【考案を実施するための最良の形態】
【００１３】  本考案の実施例を図１，図２，図３に基き、具体的に説明する。【００１４】  図１は本考案に係る有底縦長容箱の斜視図，図２は本考案に係る有底升形容箱の斜視図，図３は本考案の全体を示す斜視図，図４は有底縦長容箱に対して、有底升形容箱を収納させた状態を示す説明図である。【００１５】  図１，図３，図４において、有底縦長容箱１はダンボール製であり、この容箱１の上部内壁面２に対して容箱本体３に連設する折込壁４が重畳して有底縦長容箱１の上方部位を形成する。なお、前記縦長容箱１の底部はダンボールの折り畳みによって形成される。【００１６】  図２において、有底升形容箱５はダンボール製であり、この容箱５を構成する四方壁６の外側部位には容箱本体７に連設する外側折曲枠辺８が設けられ、この外側折曲枠辺８は梱包用粘着性テープ片９の貼着等によって容箱本体７の四方壁６に固定され、この有底升形容箱５内に所要個数の卓球ボール１０が収納される。尚、図示しないが、有底縦長容箱１の周面には、卓球練習場提供者の社名、住所又は、商品名、キャッチフレーズ等が表示される。また、前記升形容箱５の底部はダンボールの折り畳みによって形成されるものである。【００１７】  図４は有底縦長容箱１に有底升形容箱５を嵌装させた状態を示しており、この嵌装状態にあっては、有底升形容箱５に設けられた外側折曲枠辺８の下端１１が有底縦長容箱１の上方開口縁１２に載るかたちで固定されるから有底升形容箱５が有底縦長容箱１内に擦れ落ちるようなおそれは無く、従って有底縦長容箱１に対して卓球ボール１０の収納及び取出しを可能にする有底升形容箱５を安定裡に保つことができる。【００１８】  前記の有底縦長容箱１と、有底升形容箱５は、プラスチック等に製出してもよい。
【図面の簡単な説明】
【図１】本考案に係る有底縦長容箱の斜視図である。
【図２】本考案に係る有底升形容箱の斜視図である。
【図３】本考案の全体を示す斜視図である。
【図４】有底縦長容箱に有底升形容箱を嵌装させた状態を示す説明図である。
【符合の説明】
１    有底縦長容箱
２    上部内壁面
３    容箱本体
４    折込壁
５    有底升形容箱
６    四方壁
７    容箱本体
８    外側折曲枠辺
９    梱包用粘着性テープ
１０    卓球ボール
【図１】
0003136500.tif 000003
【図２】
0003136500.tif 000004
【図３】
0003136500.tif 000005
【図４】
0003136500.tif 000006
(57)【要約】      （修正有）【課題】コンセントに差し込まれたプラグを、直接引き抜くことで、引き抜き時の角度等によって生じる、同部品等の破損を防止するプラグ戻しコンセントの提供。【解決手段】押しボタン４との操作の連動によるスライド接点５と軸受け９により作動するアーム８を有し、ジョイント７によるロット６が、ロット口３より押し上がると同時に、コンセント１よりプラグ２を押し戻す。尚スプリング１０によって元に戻る。【選択図】図２
0003136796.tif 000002
【実用新案登録請求の範囲】
【請求項１】
コンセント正面部、水平状に取り付けた押しボタンと、の操作の連動によるスライド接点と軸受けと、の構成により作動するアームと、のジョイントによるロットが、差し込み口の中央部に設けた、ロット口より押し上がる構造と、を備えたコンセント。
【考案の詳細な説明】
【技術分野】
【０００１】  本考案は、一般コンセント内に設置した、構造と装置等に関するもので、押しボタン操作の連動によって、差し込みプラグを、容易に押し戻す装置による構造と、を備えたコンセント。
【背景技術】
【０００２】  従来の一般コンセントでは、コンセントに差し込まれたプラグを、直接引き抜かなければなかった。
【考案の開示】
【考案が解決しようとする課題】
【０００３】  直接プラグを引き抜くことで、引き抜き時の角度等によって、同部品等の破損を、生じることがある。
【課題を解決するための手段】
【０００４】  引き抜き時の破損を防ぐ手段として、コンセント正面部、水平状に取り付けた押しボタンと、の操作の連動によるスライド接点と軸受けと、の構成で作動するアームと、のジョイントによるロットが、差し込み口の中央部に設けた、ロット口より押し上がる構造（図２）と、同時に、差し込みプラグを、容易に押し戻す装置を考案した（図２）。
【考案の効果】
【０００５】  本考案のプラグ戻しコンセントにより、押しボタン操作で、差し込みプラグを、容易に押し戻し、直接プラグを引き抜くことなく、引き抜き時の角度等によって生じる、同部品等の破損を、防止することができる。
【考案の実施】
【０００６】  本考案のプラグ戻しコンセントの、図面による実施について、押しボタン４と、の操作の連動によるスライド接点５と軸受け９と、の構成により作動するアーム８と、のジョイント７によるロット６が、ロット口３より押し上がる構造（図２）と、同時に、コンセント１よりプラグ２を押し戻す（図２）。尚スプリング１０によって元に戻る（図１）。
【図面の簡単な説明】
【０００７】
【図１】  本考案の構造による斜め上からの立体断面図である。
【図２】  操作による作動状態を示す断面図である。
【符号の説明】
【０００８】１                コンセント
２                プラグ
３                ロット口
４                押しボタン
５                スライド接点
６                ロット
７                ジョイント
８                アーム
９                軸受け
１０              スプリング
１１              間仕切り
【図１】
0003136796.tif 000003
【図２】
0003136796.tif 000004
(57)【要約】【課題】風呂の洗い場で使用する椅子を保温し、且つ座面を軟らかくして痔などの疾病に悩む人たちにも座れる椅子を提供する。【解決手段】座面体７の雌螺旋キャップ９を反時計回りに回転させ、座面体７の雄螺旋９の開口部よりお湯を満水に注水し雌螺旋キャップ９を時計回りに回転締結させることにより、座面体７内部のお湯の漏水が防止可能となり座面体７の９を本体１の４に組みあわせ本体１の台座部２に座面体７が載置され風呂用保温椅子が構成される。【選択図】図１
0003136794.tif 000002
【実用新案登録請求の範囲】
【請求項１】
風呂の洗い場で使用する椅子であり椅子本体と、座面体が一対で構成され、座面体内部に温水を蓄えるように構成してあることを特徴とする風呂用保温椅子。
【請求項２】
前記椅子座面体は温水又は水を蓄えることを目的とし、座面体の中心に大きく円筒状の孔と周辺に複数の小孔を配置してあることを特徴とする請求項１記載の風呂用保温椅子。
【請求項３】
座面体は本体と異なる軟らかい樹脂を用いる事により、座面体内の温水又は水と相乗し、弾力性を保持させた請求項１及び２記載の、風呂用保温椅子。
【考案の詳細な説明】
【技術分野】
【０００１】本考案は風呂の洗い場で身体を洗浄する際に、腰掛ける椅子に関する物である。
【背景技術】
【０００２】風呂の洗い場において一般に使用されている風呂用椅子は、プラスチック又は木製で構成されており腰掛ける際、掛け湯して座位するが、冬季や寒冷地では瞬く間に冷たくなり快適とは言えない。
例えば特開−６１−２３２８２４．に示されるように座位する天板の下を角パイプ状に仕切り、内部に温水を通過させ適度な温かさを提供するものもある。
【考案の開示】
【考案が解決しようとする課題】
【０００３】しかしながら前記公報椅子は、構成が複雑であり比較的内部清掃も困難であり衛生的とは言えず、暖房効果も快適とまでは言えない。
【課題を解決するための手段】
【０００４】この考案は前記の課題を解決するためのものであり、以下のように構成する物である。椅子本体と座面体とに分かれており、椅子本体に温水を蓄えた座面体を載置し、上下一対で椅子を構成することを特徴とした風呂用保温椅子。【０００５】本体と座面体の着脱を容易にするため、本体中央部と座面体中央部に大きさの異なる、円筒状の孔を設けて有ることを特徴とする風呂用保温椅子。【０００６】座面体外側に温水又は水を注入排出するための開口部を設け、その開口部を座面体と融合突起した雄螺旋に成型し、中栓を内包した雌螺旋を締結することにより漏水を防止することを特徴とする風呂用保温椅子。【０００７】座面体は側方部に設置してある注排水口を介して、左右一箇所と座面体中央孔を中心に等分振り分けた、小孔を複数有していることを特徴とする風呂用保温椅子。【０００８】椅子本体と座面体は異なる樹脂で構成されており、椅子本体はプラスチック射出成型で形成することにより硬く構成してあり、座面体はＬＤポリエチレンをブロー成型することにより、軟らかく弾性を含ませたことを特徴とする風呂用保温椅子。【０００９】座面体を載置する本体台座部側方部には、座面体側方締結螺旋部が組み込まれるように切り込み部が設置してあるが、座面体に締結螺旋部を凹むよう構成することにより、本体に切り込み部を必要としないものもある。【００１０】例えば締結螺旋部や座面体を肉厚に成型することや、本体台座部側方の切り込みを無くすことで、座面体の締結雌螺旋が押さえられ座面体の負荷加重に耐え得るよう構成することも出来る。
【考案の効果】
【００１１】本考案の風呂用保温椅子は前記のように構成されていることにより、洗い場で椅子に腰掛ける際、座面体の雌螺旋キャップを外し、温水を注入して本体台座に載置することにより、座位した際快適な暖かさが得られる。痔等お尻に疾病が有る人達にも、座面体が軟らかく構成されていることで安心して座位する事が出来る。座面体内の温水が冷めた際は、本体から脱着し浴槽のお湯と交換若しくは其のまま浴槽に入れておくことにより、浴槽の温度が座面体に伝わり再び快適な暖かさを得られ、座面体内の温水を無駄に排出することなく有効利用できる。
例えば本体から取り外し、冬季には室内で湯タンポとして使用することや、夏季には冷水を満たし涼をとるという使用方法も出来る。
【考案を実施するための最良の形態】
【００１２】以下図面に示した例に従い本考案を説明すれば、実施形態の風呂用椅子は図１に示すように、プラスチック射出成型された図１の本体１の２にＬＤポリエチレンでブロー成型された図１の座面体７を載置するが、その際図１の本体１の切り込み部４と図１の座面体７の雌螺旋キャップ部９を整合させ落とし込み載置することで、一体化した風呂用椅子となる。また、図１，図２，図３に示された座面体７の座面部１１の小孔は、座面体の強度を保持するためのものであり、図１の本体１の側板３とで、ＬＤポリエチレンの座面体を補強している。
ＬＤポリエチレンは配合により硬軟調整することができる。
【実施例】
【００１３】図１の７に示されるように座面体７の雌螺旋キャップ９を反時計回りに回転させて取り外し、突起した雄螺旋の開口部から温水を満たし雌螺旋キャップ９を時計回りに回転締結させ、図１の座面体７の９を図１の本体７の切り込み部４に整合させ本体１の台座部２に載置することで、一体化した風呂用保温椅子が構成される。
【産業上の利用可能性】
【００１４】上述のように子供やお年寄りにも容易に扱え、湯を注入することにより座面が温まることにより、冬季や寒冷地において幼児から、老若男女、または痔など疾病のある人にも、お尻に優しく温かい快適さを提供すると共に、冷めても座面体内の水を捨てる無駄が無く節水効果もある。
【図面の簡単な説明】
【００１５】
【図１】本考案の風呂用保温椅子を示す断面図及び内部図
【図２】本考案の全体図
【図３】本考案の分解図
【符号の説明】
【００１６】１、風呂用椅子本体部
２、台座
３、側壁
４、切り込み部
５、脚部スベリ止め
６、本体排水口
７、座面体
８、座面部
９、雌螺旋キャップ
１０、座面体排水孔
１１  座面体補強小孔
１２  温水
【図１】
0003136794.tif 000003
【図２】
0003136794.tif 000004
【図３】
0003136794.tif 000005
(57)【要約】      （修正有）【課題】本考案は、止血、はれもの、打ち身・切り身、打撲傷、ひび・あかぎれおよび経皮鎮痛消炎剤などの外皮用薬に使用される貼り薬で剥がれ難いものを提供する。【解決手段】本考案は、不織布またはメッシュと不織布などの基材に消炎剤などの治療薬を貼り合せて構成される貼り薬において、その形状が円形または楕円形であることを特徴とする剥がれ難い貼り薬にする。【選択図】図１
0003136757.tif 000002
【実用新案登録請求の範囲】
【請求項１】
不織布またはメッシュと不織布などの基材に消炎剤などの治療薬を貼り合せて構成される貼り薬において、その形状が円形または楕円形であることを特徴とする貼り薬。
【考案の詳細な説明】
【技術分野】
【０００１】  本考案は、止血、はれもの、打ち身・切り身、打撲傷、ひび・あかぎれおよび経皮鎮痛消炎剤などの外皮用薬に使用されるものに関する。
【背景技術】
【０００２】  従来、このような貼り薬は、大きさは大小あるが、ほとんどが四角い形状のものしかなく、最近四角い形状の角の部分に丸みをつけたものが出てきている。
【考案の開示】
【考案が解決しようとする課題】
【０００３】  本考案者は、長年治療用に各種薬効のある貼り薬を患者に使用してきた。長年の経験から、貼り薬はいずれも四角い角のところからのはがれ、剥離が見られた。
この四角い形状は、生産性、低価格化など貼り薬の製造上の問題からきていると考えられる。
それ故に本考案は、患者さんの立場にたったはがれ難く薬効が長持ちする貼り薬を提供することにある。
【課題を解決するための手段】
【０００４】  本考案は、不織布またはメッシュと不織布などの基材に消炎剤などの治療薬を貼り合せて構成される貼り薬において、その形状が円形または楕円形であることを特徴としている。
【考案の効果】
【０００５】  形状を円形または楕円形にすることで、剥離し難くなり、各種貼り薬に含まれる治療薬の薬効が継続して治癒が促進される。
【考案を実施するための最良の形態】
【０００６】  本考案の実施にあたり、市販されている貼り薬の中から表１に示したメーカーの商品名のものを比較資料として選定した。
これらの貼り薬をコントロールとして用いて、円形および楕円形の形状はこれら貼り薬上に作図して切り出したものを試料とした。
【表１】
0003136757.tif 000003
【実施例】
【０００７】  各社の貼り薬上に円形の場合は直径４２ｍｍφの円を作図して描かれた線上をローラーカッターで切断して、円形の試料を作成した。楕円形の場合は短軸を４２ｍｍ、長軸を６２ｍｍにした楕円形を作図して描かれた線上をローラーカッター（大島工業（株）製）で切断して、楕円形の試料を作成した。【０００８】  検体としては、３０歳代の男女それぞれ２名、６０歳代の男女それぞれ２名のご協力を得て、前記、コントロールとしての四角（□）、円形（○）、楕円形
0003136757.tif 000004
お尻、腰、太もも、ひざ、すね、足首、足の甲、足の土踏まず等へ貼り付けて１２時間。２４時間経過後のはがれ状態を観察した。【０００９】  １２時間での形状による有意差が出たのは、全員の手首、足首で四角なものは両端がはがれてきたのに対して、円形、楕円形はごく一部を除き剥がれが見られなかった。また足の土積まずで、四角いコントロール２枚に角のところに剥がれが見られた。
２４時間では、四角いコントロールでは、手首、足首、ひじ、ひざの角のところ、両端のところに剥がれが認められた。楕円形のもので、６０歳男性の足首、手首に２枚長軸方向の一端に剥がれが見られたが、全体への影響は認められなっかた。また、円形のものでは、すべての個所で剥がれが認められなかった。
２４時間でも、肩、背中、お尻、腰、太ももではすべての形状のもので剥がれが認められなかった。
このような結果から、すべての個所で剥がれが認められないのが円形、楕円形形状である結論が得られた。
【図面の簡単な説明】
【０００１０】
【図１】本考案の円形貼り薬の形状模式図である。
【図２】本考案の楕円形貼り薬の形状模式図である。
【図１】
0003136757.tif 000005
【図２】
0003136757.tif 000006
(57)【要約】      （修正有）【課題】離れた所の物体を安定した力で把持できる、手動式のマジックハンドを提供する。【解決手段】一対の把持部材７は、反発性を備えた、竹薄板製で柄の先端側に把持部と手元側に把手部と操作レバーを設け、把手部より先端把持部に向け１５°の角度を付け、先端把持部を広げることによって、竹の反発性を高めた。また、ロープの端を操作レバー２で止め、一方の端を相対する柄の穴下部３、上部４・５、下部６と９０°の角度でロープを通し、ロープの端を下部６で止めることで、操作レバーを握ると、穴の４・５・６でテコの力が作用する。そこで握手の弱い高齢者や障害者等でも物体を安定して楽に把持できるようにした。【選択図】図４
0003136759.tif 000002
【実用新案登録請求の範囲】
【請求項１】
柄の先端側に設けた相対する一対の把持部と柄の手元側に設けた操作レバーをロープで連結し、操作レバーを操作することで、先端側の把持部材を開閉させて、物体を把持するマジックハンド。
【考案の詳細な説明】
【技術分野】
【０００１】  本考案は離れた所の物体を把持する手動式のマジックハンドである。
【背景技術】
【０００２】  従来よりマジックハンドには、精密な工業用から玩具まで多々あるが、身障者等が携帯をして使用できるものは無かった。【０００３】  一方近年高齢者や身障者等の介護は、大きな社会問題となっており、介護人の不足も相俟って、高齢者や身障者ができるだけ身の周りのことを自分でできるようにするために、このマジックハンドが開発されれば、社会に大きく貢献することができる。
【考案の開示】
【考案が解決しようとする課題】
【０００４】  そこで、この考案の課題は離れた所の物体を安定した力で把持できる手動式のマジックハンドを提供することである。
【課題を解決するための手段】
【０００５】  上記の課題を解決するために、この考案は柄の先端側に設けた相対する一対の把持部と柄の手元側に設けた操作レバーを操作することで、先端の把持部を開閉させ、離れた所の物体を把持できるマジックハンドである。
【考案の効果】
【０００６】  以上のように、この考案のマジックハンドは竹材で形成し、また竹は手に馴染みやすく、重さも（約８０ｇ）と軽く、足腰の弱い高齢者や障害者等でもいつも持ちあるきすることができる。また寝たり、座ったりしたまま、楽な姿勢で離れた所の物体を安定して把持することができる。【０００７】  本考案は、図１、図２で示すように、このマジックハンドは、反発性を備えた竹で細長形状の薄板材と木、ロープ等で形成し、柄の先端側把持部材８にすべり止めのラバーを貼り付け、柄の手元側には、把手部と操作レバーを設け、操作レバー２の下部にロープの端を止め、一方の端を柄の下部材３の穴に通し、次に上部材の穴４，５に通す。そしてまた下部材６の穴３つを使って結束する。この３つの穴を使ってロープを長く、また短くすることで、操作レバーの強弱を調節することができる。【０００８】  このマジックハンドの特徴は、図１、図２で示すように竹の反発力とテコの原理を応用し、そしてロープの端を下部材の穴６で結束することで、操作レバーを握ると先端側の上部材と下部材の穴４、５、６にテコの力が加わり、把持部の上部材と下部材が同時に作用し安定した力で物体を把持することができる。よって把持する力も倍増する。【０００９】  マジックハンドの素材はアルミ、プラスチックでも作成することができる。
【図面の簡単な説明】
【００１０】
【図１】  本考案のマジックハンドの側面図
【図２】  本考案のマジックハンドの使用した側面図
【図３】  本考案のマジックハンドの上から見た所の平面図
【図４】  本考案のマジックハンドの使用俯瞰図
【図５】  本考案のマジックハンドの側面Ａ−Ａ′断面図
【図６】  本考案のマジックハンドの平面Ｂ−Ｂ′断面図
【図７】  本考案のマジックハンドの俯瞰図
【符号の説明】
【００１１】    １    竹筒
２    竹筒
３    ロープ穴
４    ロープ穴
５    ロープ穴
６    ロープ穴×３
７    竹柄
８    滑り止めラバー
９    木材
１０  ロープ
１１  釘
１２  ピン
【図１】
0003136759.tif 000003
【図２】
0003136759.tif 000004
【図３】
0003136759.tif 000005
【図４】
0003136759.tif 000006
【図５】
0003136759.tif 000007
【図６】
0003136759.tif 000008
【図７】
0003136759.tif 000009
(57)【要約】      （修正有）【課題】液体物機内持込用プラスチック袋の運搬性能を向上させること。【解決手段】透明なプラスチック袋本体１と、袋本体の入口に設けた入口を再封可能な再封シール２とを有した液体物機内持込用プラスチック袋において、再封シールのプラスチック袋本体とは反対側に手が挿入可能な持ち手３を設けたことを特徴とする。【選択図】図１
0003136754.tif 000002
【実用新案登録請求の範囲】
【請求項１】
透明なプラスチック袋本体と、該袋本体の入口に設けた入口を再封可能な再封シールとを有した液体物機内持込用プラスチック袋において、前記再封シールの前記プラスチック袋本体とは反対側に手が挿入可能な持ち手を設けたことを特徴とする液体物機内持込用プラスチック袋。
【考案の詳細な説明】
【技術分野】
【０００１】  本考案は、航空機内への液体物持込に使用するプラスチック袋に関する。
【背景技術】
【０００２】  近年、英国での航空機爆破テロ未遂事件を受け、航空機内への液体物の持込が制限されている。液体物を国際線航空機の客室内へ持込む際には、液体物を１００ミリリットル以下の容器に入れ、該容器を再封可能な容量１リットル以下の透明プラスチック袋に入れる必要がある。
【考案の開示】
【考案が解決しようとする課題】
【０００３】  現在使用されている液体物機内持込用プラスチック袋は、袋の口に再封シールがついた単純な袋であるので、液体物容器をその中に入れると、ごつごつとした不定形の形状となってしまい、扱いにくい。更に、手荷物検査を受ける際には、それを手で掴むか、小脇に抱えるかして検査台まで持って行かなければならず、運びにくくなっている。検査を待つ間も、手で掴むか、小脇に抱えるかしなければならず、不便である。
【課題を解決するための手段】
【０００４】  本考案は上記状況に鑑みて成されたものであり、その目的は、液体物機内持込用プラスチック袋の運搬性能を向上させることである。【０００５】  本考案による液体物機内持込用プラスチック袋は、透明なプラスチック袋本体と、該袋本体の入口に設けた入口を再封可能な再封シールとを有した液体物機内持込用プラスチック袋において、前記再封シールの前記プラスチック袋本体とは反対側に手が挿入可能な持ち手を設けたことを特徴とする。
【考案の効果】
【０００６】  再封シールのプラスチック袋本体とは反対側に手が挿入可能な持ち手を設けたことによって、手荷物検査を受ける際には、液体物容器をその中に入れてごつごつとした不定形の形状になったにも拘らず、持ち手に手を通して検査台まで運べばよく、非常に運びやすくなる。検査を待つ間も、同様である。更に、検査後、機内持ち込み手荷物バッグを開けてプラスチック袋を詰め込むことなく、検査台から搭乗機内までの長い距離をそのまま持って行くことも可能になる。
【考案を実施するための最良の形態】
【０００７】  本考案による液体物機内持込用プラスチック袋を添付図面を参照して説明する。【０００８】  図１は本考案による液体物機内持込用プラスチック袋の平面図である。袋本体１は透明プラスチックでできており、その容積は所定の容積、すなわち、１リットル以下にされている。袋本体１の入口には、該入口を開閉することが可能な再封シール２が設けられている。再封シールは、ジッパー、凹凸を組み合わせることによって閉じることができるタイプ、再接着可能な接着テープを使用したタイプ等任意のタイプのものでよい。再封シール２の袋本体とは反体側には、持ち手３が設けられている。持ち手３は手を通すための開口部４を有している。持ち手３及び開口部４の縁部には補強のための厚肉部を設けても良い。又、図示実施例では、持ち手３は再封シール２の全幅にわたって設けられているが、再封シール２の一部にわたって設けられても良い。【０００９】  以上のように構成した、液体物機内持込用プラスチック袋に液体物が入った容器を入れ、再封シール２を閉じ、持ち手３の開口部４に手を通して運べば、手荷物検査台まで液体物機内持込用プラスチック袋を容易に運ぶことができる。又、検査を待つ間も液体物機内持込用プラスチック袋を容易に持っていることができる。
【図面の簡単な説明】
【００１０】
【図１】本考案による液体物機内持込用プラスチック袋の平面図である。
【符号の説明】
【００１１】１  プラスチック袋本体
２  再封シール
３  持ち手
４  開口部
【図１】
0003136754.tif 000003
(57)【要約】      （修正有）【課題】人による打撃捕手が怪我を負うなどの不具合を解消する。【解決手段】バッティングキャッチャーシート２は、防水を施したビニールシートに捕手像３を描くことにより形成されている。シート隅の両面ハトメ穴１をスタンドネット４に固定することにより、従来の人による打撃捕手の代替を務める。打球が打撃捕手を直撃する事故を防ぐのみならず、人員の満たない野球集団では、打撃捕手を他の守備位置に配置するなどして効果的な練習を営むことができる【選択図】図１
0003136751.tif 000002
【実用新案登録請求の範囲】
【請求項１】
ビニールシートに捕手像を絵によって描いた、野球のバッティング練習時の投手の的とする野球練習用具。
【請求項２】
ビニールシートに捕手像の写真を焼き付けた、野球のバッティング練習時の投手の的とする野球練習用具。
【考案の詳細な説明】
【技術分野】
【０００１】  本考案は、野球のバッティング練習時の用具に関する。
【技術背景】
【０００２】  従来の野球におけるバッティングの練習は、打者の後方に人を配するものであった。（図２）
【考案の開示】
【考案が解決しようとする課題】
【０００３】  しかし、これでは、打者の後方に配された人に打球が当たるなど怪我の危険性を伴っていた。また、人員の限られたチームでは、他の守備等に人員を欠き練習全体に支障をきたすものとなっていた。
【課題を解決するための手段】
【０００４】  そこで、人による打撃捕手に代わり、ビニールシートに捕手を描いたシートを考案した（図１）。このシートにより、打撃捕手が怪我に至ることがないのである。
【考案の効果】
【０００５】  よって、本考案のバッティングキャッチャーシートにより、打撃捕手が打球による怪我に至ることがなくなるのである。また、人員不足の集団における野球の練習も、打撃捕手の他の守備位置への配置により円滑な運営を営むことができる。
【考案を実施するための最良の形態】
【０００６】  本考案に係るバッテングキャッチャーシートは、図１に示すように、防水を施したシートに捕手像を描くことにより形成されている。シートの隅の両面ハトメ穴１をスタンドネットに固定することにより、従来の人による打撃捕手の代替を務める。打球が打撃捕手を直撃する事故を未然に防ぐことができるのみならず、人員の満たない野球集団では、打撃捕手を他の守備位置に配置するなど効率的な練習に導くことができる。また、シートに描く捕手像の大小、ミットの位置などにより習熟度別の練習が可能である。
【図面の簡単な説明】
【０００７】
【図１】  本考案に係るバッティングキャッチャーシートを、スタンドネットに装着した状態の図である。
【図２】  従来の人による打撃捕手を配した図である。
【符号の説明】
【０００８】  １        両面ハトメ穴
２        バッティングキャッチャーシート
３        描かれた捕手像
４        スタンドネット
５        人による打撃捕手
【図１】
0003136751.tif 000003
【図２】
0003136751.tif 000004
(57)【要約】      （修正有）【課題】従来使われている袋が、底の角部分に保存用の中身の残滓が詰まり、洗浄しにくく不衛生であったため、一度使用すると破棄せざるを得なかった。これらの無駄を省きゴミの減量にも寄与する。【解決手段】洗浄が容易であれば再使用も可能である事から、底の両隅にアールを付ける事とした。【選択図】図１
0003136755.tif 000002
【実用新案登録請求の範囲】
【請求項１】
冷凍保存用等ビニール袋の、隅の洗浄を容易にする事を目的とし、底の部分の角に夫々アールをつけた事を特徴とした保存袋。
【考案の詳細な説明】
【技術分野】
【０００１】    本考案は、袋の底の角部分にアールを付けた、保存用袋に関するものである。
【背景技術】
【０００２】    現行使っている袋は、保存した中身を取り出す際、角に中身がこびり付き、洗浄もしにくいと言う現象があり、結果使い捨てしていたり、そのまま再使用するといった衛生上の問題もあった。
【考案の開示】
【考案が解決しようとす課題】
【０００３】    本考案は現行の袋の使い捨ての無駄や、再使用による不衛生を解決すべく、袋の底の角に丸みをつけ、残滓を容易に洗浄出来るようにし、前述の解決を図ろうと言うものである。
【課題を解決するための手段】
【０００４】    袋の材質、大小に関わらず底にあたる両角にアールを施し丸みをもたせる。この事により隅の洗浄を容易にし問題点を解決している。
【考案の効果】
【０００５】    洗浄を容易にした事で、袋は衛生的に保て、再使用を可能にし、結果節約効果をもたらす。
【考案を実施するための最良の形態】
【０００６】    袋を全体的にみると、その形状はＵ形になり、裏を返して洗浄の容易さを実感する。
【実施例】
【０００７】    保存する中身は固体状のもの、液体状のもの多種多様だが、どの場合においても問題なく洗浄出来、特に従来肉や魚などを保存して解凍した際に出るドリップは、完全に洗浄しきれず生臭さを残す結果となっていたが、これを解決させた。
【図面の簡単な説明】
【０００８】
【図１】    本考案のアール付き保存袋の全体図である。
【図１】
0003136755.tif 000003
(57)【要約】【課題】本考案は、不使用時には扁平状に折畳することが出来て持ち運びに便利なようにすると共に、使用時には扁平状の折り畳みを解いてバッグの容積を増大させると共に増大された容積の形態を崩れないようにし、収納した品物を安定した状態で運ぶことができ、破損するなどの恐れの少ないバッグを提供しようとするものである。【解決手段】  全体が硬質で弾力性のある合成樹脂板よりなり、下部先細り部と長方形状の本体部が一体となる表芯板と、下部先細り部と本体部が折り曲げ自在で全体が表芯板と同形状の裏芯板と、両芯板の先細り部の縁形状に対応する三角状の隅芯板とよりなり、表芯板と裏芯板の本体部の互いの対応する左右の側縁は折畳自在に接合すると共に、これら接合された両芯板の先細り部で形成された三角空間縁には隅芯板を折畳自在に接合してなるバッグの芯構造である。【選択図】  図１
0003136752.tif 000002
【実用新案登録請求の範囲】
【請求項１】
全体が硬質で弾力性のある合成樹脂板よりなり、下部先細り部と長方形状の本体部が一体となる表芯板と、下部先細り部と本体部が折り曲げ自在で全体が表芯板と同形状の裏芯板と、両方の表芯板、裏芯板の先細り部の縁形状に対応する三角状の隅芯板とよりなり、表芯板と裏芯板の本体部の互いの対応する左右の側縁は折畳自在に接合すると共に、これら接合された両芯板の先細り部で形成された三角空間縁には隅芯板を折畳自在に接合してなるバッグの芯構造。
【考案の詳細な説明】
【技術分野】
【０００１】
本案は、不使用時には扁平状にして嵩張らないようにし、使用時には買い物等の品物を大量に且つ安全に収納できるバッグに関する。
【背景技術】
【０００２】
従来の買い物などに使用する折り畳み式のバッグは、全体が柔軟な素材で構成されているため、使用時には重量によってバッグ自体が変形し、収納した品物を安定した状態で運ぶことが出来なかったり、破損するなどの恐れがある。
【考案の開示】
【考案が解決しようとする課題】
【０００３】
そこで本考案は、不使用時には扁平状に折畳することが出来て持ち運びに便利なようにすると共に、使用時には扁平状の折り畳みを解いてバッグの容積を増大させると共に増大された容積の形態を崩れないようにし、収納した品物を安定した状態で運ぶことができ、破損するなどの恐れの少ないバッグを提供しようとするものである。
【課題を解決するための手段】
【０００４】
全体が硬質で弾力性のある合成樹脂板よりなり、下部先細り部と長方形状の本体部が一体となる表芯板と、下部先細り部と本体部が折り曲げ自在で全体が表芯板と同形状の裏芯板と、両方の表芯板、裏芯板の先細り部の縁形状に対応する三角状の隅芯板とよりなり、表芯板と裏芯板の本体部の互いの対応する左右の側縁は折畳自在に接合すると共に、これら接合された両芯板の先細り部で形成された三角空間縁には隅芯板を折畳自在に接合してなるバッグの芯構造である。
【考案の効果】
【０００５】
本考案の効果として、不使用時には扁平状に折畳することが出来て持ち運びに便利であり、使用時には扁平状の折り畳みを解いてバッグの容積を増大させると共に増大された容積の形態を崩れないようにし、収納した品物を安定した状態で運ぶことが出来、破損するなどの恐れが少ない。
【実施例】
【０００６】
本案を図示の実施例により詳記すると、全体が硬質で弾力性のあるPE板等の合成樹脂板１よりなり、下部先細り部２と長方形状の本体部３が一体となる表芯板４と、下部先細り部５と本体部６が柔軟な布７などを介し縫いつけて折り曲げ自在で全体が前記表芯板４と同形状の裏芯板８と、両方の表芯板４，裏芯板８の下部先細り部２，５の縁形状に対応する三角状の隅芯板９とよりなり、表芯板４と裏芯板８の本体部３，６の互いの対応する左右の側縁１０，１１を少し離間させて該部所には柔軟な布７などを介しては折畳自在に逢着等の手段により接合すると共に、これら接合された両芯板４，８の下部先細り部２，５で形成された三角空間縁１２には隅芯板９を折畳自在に接合してなるものである。
互いの芯板４，８，９の接合はその接合部分に柔軟な布７を当て、その上から逢着するのが望ましい。
【０００７】
尚これらの芯板４，８，９の互いの接合に際しては、これら同士を相互に接合しても良いが、芯板４，８，９を覆う図示しない裏、表、底の化粧布と一緒に接合或は逢着しても良い。図中１３は底布である。
【図面の簡単な説明】
【０００８】
【図１】本考案に係る裏芯板正面説明図。
【図２】表芯板の正面説明図
【図３】隅芯板の正面説明図
【図４】底布の平面説明図
【図５】芯板４，８，９を接合した状態の側面説明図
【図６】図５の正面説明図
【図７】接合した芯板の折畳側面説明図
【符号の説明】
【０００９】
１：合成樹脂板
２：下部先細り部
３：本体部
４：表芯板
５：下部先細り部
６：本体部
７：布
８：裏芯板
９：隅芯板
１０、１１：側縁
１２：三角空間縁
１３：底布
【図１】
0003136752.tif 000003
【図２】
0003136752.tif 000004
【図３】
0003136752.tif 000005
【図４】
0003136752.tif 000006
【図５】
0003136752.tif 000007
【図６】
0003136752.tif 000008
【図７】
0003136752.tif 000009
(57)【要約】      （修正有）【課題】握力が弱い身体障害者や高齢者がマレットで打楽器を演奏する場合、振り下ろした際に手からマレットが抜けてしまう。また、ドラムや鍵盤の位置認識が困難な視覚障害者がマレットで音楽演奏をすることは困難である。また、音声認識が困難な聴覚障害者が音楽演奏をすることは困難である。マレットの両端に同じ大きさのゴム製の球部を設けること、又はマレットの両端に大きさの異なるゴム製の球部を設けることにより問題点を解決している。【解決手段】２個の球部の大きさを変えて製作した場合は、握力・握り易さに応じて握る側を選択できる他、２個の球部の大きさの違いにより叩いた際の音色や弾む感覚の違いを楽しむことが可能となる。【選択図】図１
0003136758.tif 000002
【実用新案登録請求の範囲】
【請求項１】
マレット両端に球部を設けることで、握力が弱い身体障害者や高齢者でも演奏時にマレットが手から抜けてしまうことを防ぐとともに、球部をゴム製とすることで、叩く対象を楽器に限ることなく床等を叩くことが可能となり、ドラムや鍵盤の位置認識が困難な視覚障害者でも演奏ができる他、音声認識が困難な聴覚障害者でも弾む感覚を感じることにより演奏ができ、また２個の球部の大きさを変えて製作した場合、１本のマレットで音色や弾む感覚の変化を楽しむことができることを特徴とするマレット。
【考案の詳細な説明】
【技術分野】
【０００１】  本考案は、大きさを同じくしたゴム製の球部を両端に設けた、又は大きさが異なるゴム製の球部を両端に設けた、健常者の他障害者や高齢者が音楽演奏をするためのマレットに関するものである。
【背景技術】
【０００２】  ドラムやシロフォン等を演奏するためのマレットは、握力の弱い身体障害者や高齢者は使用困難であり、また、視覚障害者や聴覚障害者はマレットを使用する打楽器の演奏そのものが困難である。
【考案の開示】
【考案が解決しようとする課題】
【０００３】  握力が弱い身体障害者や高齢者がマレットで打楽器を演奏する場合、振り下ろした際に手からマレットが抜けてしまう。また、ドラムや鍵盤の位置認識が困難な視覚障害者がマレットで音楽演奏をすることは困難である。また、音声認識が困難な聴覚障害者が音楽演奏をすることは困難である。
【課題を解決するための手段】
【０００４】  本考案は、マレットの両端に同じ大きさのゴム製の球部を設けること、又はマレットの両端に大きさの異なるゴム製の球部を設けることにより問題点を解決している。
【考案の効果】
【０００５】  楽器を叩く側だけでなく、その反対側すなわち手で握る側にも球部を配置することにより、手で握る側の球部がストッパーの役割をし、振り下ろした際に手から抜けることの防止に役立つ。また、球部をゴム製にすることにより、床や壁を傷つけることなく打楽器代わりに叩くことができるため、楽器や鍵盤の位置認識が困難な視覚障害者でも音楽演奏が可能となる他、音声認識が困難な聴覚障害者でも弾む感覚を感じることにより音楽演奏が可能となる。２個の球部の大きさを変えて製作した場合は、握力・握り易さに応じて握る側を選択できる他、２個の球部の大きさの違いにより叩いた際の音色や弾む感覚の違いを楽しむことが可能となる。
【考案を実施するための最良の形態】
【０００６】  支柱の両端に大きさを同じくしたゴム製の球部を配置、又は支柱の両端に大きさが異なるゴム製の球部を配置する。
【図面の簡単な説明】
【０００７】
【図１】本考案の両端ゴム製球部設置マレットのうち、大きさを同じくした２個の球部を配置した実施例を示す図である。
【図２】本考案の両端ゴム製球部設置マレットのうち、大きさが異なる２個の球部を配置した実施例を示す図である。
【符号の説明】
【０００８】１  支柱
２  ゴム製球部
３  ゴム製球部
４  支柱
５  ゴム製球部
６  ゴム製球部
【図１】
0003136758.tif 000003
【図２】
0003136758.tif 000004